(57)【要約】【課題】通常使用時や本体移動時において、外部からの衝撃や振動により、集塵装置が抜ける方向に力が加わった場合でも、集塵装置と掃除機本体の係合状態が容易に解除されない電気掃除機の提供すること。【解決手段】電動送風機９を内蔵する掃除機本体１と、掃除機本体１に着脱自在に取り付けられ塵埃を捕集する集塵装置１０を有し、集塵装置１０は回動自在に軸支された把手部１７と、集塵装置１０を掃除機本体１への装着方向に突出した係合部２５と、把手部１７が収納状態となる方向に把手部１７を付勢する圧縮バネ２９を備え、掃除機本体１には係合穴１６を備え、把手部１７が収納状態となる位置で係合部２５と係合穴１６が係合され、把手部１７が回動されることに連動して、係合部２５と係合穴１６の係合が解除されるように構成し、集塵装置１０と掃除機本体１の係合状態が容易に解除されないようにした。【選択図】図８
2017018450.tif 000002
【特許請求の範囲】
【請求項１】
吸引風を発生させる電動送風機を内蔵する掃除機本体と、
前記掃除機本体に着脱自在に取り付けられ、前記電動送風機で発生された吸引風によって吸引された塵埃を捕集する前記集塵装置と、
前記集塵装置に回動自在に軸支された把手部と、
前記把手部に設けられ、前記集塵装置を前記掃除機本体への装着方向へ突出させる方向に向けて配置した係合部と、
前記把手部が前記集塵装置に収納状態となる方向に前記把手部を付勢する付勢手段と、
前記掃除機本体に設けられ、前記係合部が挿入される係合穴と、を備え、
前記係合部は、前記集塵装置を前記掃除機本体に装着時に、前記把手部が前記集塵装置に収納状態となる位置で前記係合穴と係合され、
前記把手部を収納位置から引き上げる方向に回動されることに連動して、前記係合穴との係合が解除される構成とした電気掃除機。
【請求項２】
前記係合部の先端形状を、前記集塵装置が前記掃除機本体に装着される方向に対して、垂直上方向に突出した爪形状とした請求項１に記載の電気掃除機。
【発明の詳細な説明】
【技術分野】
【０００１】
本発明は着脱可能な塵埃を収容する集塵装置を備えた電気掃除機に関するものである。
【背景技術】
【０００２】
近年のサイクロン式掃除機のように、集塵装置が着脱可能に構成された電気掃除機は、集塵装置を掃除機本体に装着時、集塵装置と掃除機本体を係合させる構成を有しており、通常使用時は係合状態が保持され、集塵装置を引き抜くときは、集塵装置と掃除機本体との係合状態が容易に解除される構成が求められる。このような掃除機の中には、集塵装置を掃除機本体から抜き取る方向が、集塵装置の装着方向に対して９０度より大きくなるよう設定してあり、集塵装置を引き抜く方向に力を加えたときにのみ、集塵装置と掃除機本体の係合状態が解除される構成を有しているものがある（例えば、特許文献１参照）。
【先行技術文献】
【特許文献】
【０００３】
【特許文献１】特開２０１４−８３０２号公報
【発明の概要】
【発明が解決しようとする課題】
【０００４】
しかしながら、前記従来の構成では、使用者が集塵装置を引き抜くことを意図しない状態、例えば、通常使用時や本体移動時において、外部からの衝撃や振動などにより、集塵装置を抜き取り可能な方向に力が加わった場合に、集塵装置と掃除機本体の係合状態が解除され易く、意図せず集塵装置が掃除機本体から外れるという課題を有していた。
【０００５】
本発明は、前記従来の課題を解決するもので、使用者が集塵装置を抜き取るときには、容易に集塵装置と掃除機本体の係合が解除され、かつ、使用者が集塵装置を抜き取ることを意図しない状態においては、集塵装置と掃除機本体の係合状態が容易に解除されないようにした電気掃除機を提供することを目的とする。
【課題を解決するための手段】
【０００６】
前記従来の課題を解決するために、本発明の電気掃除機は、吸引風を発生させる電動送風機を内蔵する掃除機本体と、前記掃除機本体に着脱自在に取り付けられ、前記電動送風機で発生された吸引風によって吸引された塵埃を捕集する前記集塵装置と、前記集塵装置に回動自在に軸支された把手部と、前記把手部に設けられ、前記集塵装置を前記掃除機本体への装着方向へ突出させる方向に向けて配置した係合部と、前記把手部が前記集塵装置に収納状態となる方向に前記把手部を付勢する付勢手段と、前記掃除機本体に設けられ、前記係合部が挿入される係合穴と、を備え、前記係合部は、前記集塵装置を前記掃除機本体に装着時に、前記把手部が前記集塵装置に収納状態となる位置で前記係合穴と係合され、前記把手部を収納位置から引き上げる方向に回動されることに連動して、前記係合穴との係合が解除される構成としたものである。
【０００７】
これによって、集塵装置が掃除機本体に装着された状態では、係合部と係合穴との嵌合による係合により、集塵装置と掃除機本体との係合状態が保持されることに加えて、付勢手段の付勢力により、把手部が収納状態の位置に保持される方向に力が加わると同時に、係合部と係合穴との係合状態が保持される方向に力が加わっており、集塵装置を引き抜く方向に力が加わっても、集塵装置と掃除機本体との係合状態が解除されにくくすることができる。
【発明の効果】
【０００８】
本発明の電気掃除機は、使用者が集塵装置を掃除機本体から引き抜くときは、集塵装置と掃除機本体の係合が容易に解除され、かつ、集塵装置が掃除機本体に装着されている必要がある状態では、集塵装置を引き抜く方向に力が加わっても、集塵装置と掃除機本体との係合状態が容易に解除されないものである。
【図面の簡単な説明】
【０００９】
【図１】本発明の実施の形態１における電気掃除機の全体斜視図
【図２】同電気掃除機の掃除機本体の前方斜視図
【図３】同電気掃除機の掃除機本体の側断面図
【図４】同電気掃除機の集塵装置を取外した状態における前方斜視図
【図５】同集塵装置の中央側断面図
【図６】同集塵装置の把手部を示す全体斜視図
【図７】同集塵装置の把手部の構成を示す部分断面図
【図８】同集塵装置と電気掃除本体の係合状態を示す部分断面図
【発明を実施するための形態】
【００１０】
第１の発明は、吸引風を発生させる電動送風機を内蔵する掃除機本体と、前記掃除機本体に着脱自在に取り付けられ、前記電動送風機で発生された吸引風によって吸引された塵埃を捕集する前記集塵装置と、前記集塵装置に回動自在に軸支された把手部と、前記把手部に設けられ、前記集塵装置を前記掃除機本体への装着方向へ突出させる方向に向けて配置した係合部と、前記把手部が前記集塵装置に収納状態となる方向に前記把手部を付勢する付勢手段と、前記掃除機本体に設けられ、前記係合部が挿入される係合穴と、を備え、前記係合部は、前記集塵装置を前記掃除機本体に装着時に、前記把手部が前記集塵装置に収納状態となる位置で前記係合穴と係合され、前記把手部を収納位置から引き上げる方向に回動されることに連動して、前記係合穴との係合が解除される構成とすることにより、集塵装置が掃除機本体に装着された状態では、係合部と係合穴との挿入嵌合による係合により、集塵装置と掃除機本体との状態が保持されることに加えて、付勢手段の付勢力により、把手部が収納状態の位置に保持される方向に力が加わると同時に、係合部と係合穴との係合状態が保持される方向に力が加わった状態となり、集塵装置を引き抜く方向に、外部からの力が加わっても、集塵装置と掃除機本体との係合状態が解除されにくく、かつ、集塵装置を引き抜くときは、把手部が収納位置から引き上げられる方向に回動する動作に連動して、係合部と係合穴との係合状態が解除され、集塵装置と掃除機本体の係合状態を容易に解除することができる。
【００１１】
第２の発明は、特に、第１の発明の係合部の先端形状を集塵装置が掃除機本体に装着される方向に対して、垂直上方向に突出した爪形状とすることにより、係合部の爪と係合穴上部の内壁面による嵌合係合を追加することができ、係合状態がさらに解除されにくくできる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における電気掃除機の全体斜視図である。図２は、同電気掃除機の前方斜視図である。図３は、同電気掃除機の掃除機本体の側断面図である。図４は、同電気掃除機の集塵装置を取り外した状態における前方斜視図である。図５は、同集塵装置の中央側断面図である。図６は、同集塵装置の把手部を示す全体斜視図である。図７は、同集塵装置の把手部の構成を示す部分断面図である。図８は、同集塵装置と電気掃除本体の係合状態を示す部分断面図である。
【００１４】
図１に示すように、本発明の電気掃除機１００は、吸引風を発生させる電動送風機９（図２及び図３参照）を内蔵する掃除機本体１と、被清掃面の塵埃を吸引する吸込具２と、一端が吸込具２に接続される延長管３と、一端が延長管３に接続され、他端が掃除機本体１に接続されるホース４とから構成されている。
【００１５】
吸込具２には、被清掃面の塵埃を掻きあげる回転ブラシ（図示せず）と、回転ブラシ（図示せず）を回転駆動する電動機（図示せず）と、が内蔵されている。また、ホース４の延長管３側の端部には、使用者が清掃する際に保持する手元ハンドル５を備えた先端パイプ６が設けられており、この先端パイプ６を介して延長管３とホース４とが着脱自在に接続されている。さらに、ホース４の掃除機本体１側の端部には、接続パイプ７が設けられており、この接続パイプ７を介して掃除機本体１の吸気口８とホース４とが着脱自在に接続されている。
【００１６】
図２から図４に示すように、掃除機本体１は、掃除機本体１の下面を形成する下枠体１１と、掃除機本体１の上面を形成する上枠体１２から構成されており、下枠体１１と上枠体１２は爪やネジ等によって結合されている。
【００１７】
下枠体１１の下面の前方には、走行用のキャスター１３が回動自在に取り付けられており、下枠体１１の後方の左右両側面には、走行用の車輪１４が設けられており、少なくとも前後方向に沿って走行可能に構成されている。なお、以下、前後方向および左右方向は、掃除機本体１の走行方向を基準としている。
【００１８】
上枠体１２には、集塵装置１０と掃除機本体１を係合させるための係合穴１６と、集塵装置１０から排出された空気を掃除機本体内部へ吸入するための吸入口１５を有している。
【００１９】
掃除機本体１の前部には、電動送風機９で発生された吸引風によって吸引された塵埃を分離捕集する集塵装置１０が、掃除機本体１に所定角度傾斜した状態で着脱自在に取り付けられる。
【００２０】
ここで、本実施の形態においては、集塵装置１０が略４５度傾斜した状態で掃除機本体１に取り付けられるように構成している。
【００２１】
図５示すように、集塵装置１０は、構成部品を大きく分けると、外郭は下側集塵容器１９ａと、前記下側集塵容器１９ａの開口部と上側から組み合わさる上側集塵容器１９ｂと、上側集塵容器１９ｂの上面に爪やネジ等によって結合されている把手部おさえ１８と、把手部おさえ１８に軸支された回転可能な把手部１７と、下側集塵容器１９ａの下面に設けた開口部ｂ２１を塞ぐように設けられた底蓋２２とから構成される。
【００２２】
図６に示すように、把手部１７は、回動軸穴２４と、回動軸穴２４の前方に使用者が操作するための略矩形の取っ手部２３と、回動軸穴２４の後方に、集塵装置１０を掃除機本体１へ装着する方向に突出した係合部２５が一体に形成されており、係合部２５の先端は、集塵装置１０を掃除機本体１へ装着する方向に対して、垂直上方向に突出した爪２６を有している。
【００２３】
図７に示すように、把手部１７は、回動軸穴２４が把手部おさえ１８の回動軸２７に回転可能に保持固定されており、把手部１７と把手部おさえ１８の間には、付勢手段として圧縮バネ２９が前後方向に向けて設けられている。
【００２４】
圧縮バネ２９の一端は、把手部１７の回動軸穴２４の下側に設けたリブ２８に当接しており、反対側の一端は、リブ２８よりも前方に位置する把手部おさえ１８に設けられたバネ設置部３０に当接している。
【００２５】
これにより、圧縮バネ２９は、把手部１７を回動軸２７を中心に、回動軸２７より前方の部位を下方向Ａへ、回動軸２７より後方の部位を上方向Ｂへ付勢しており、使用者が把手部１７を操作していないときは、把手部１７は収納状態に維持される。
【００２６】
なお、本実施の形態における把手部１７の収納状態とは、把手部１７の上面が把手部おさえ１８の上面と略同一面になっている状態であり、図７に示す把手部１７の状態である。
【００２７】
図８に示すように、集塵装置１０が掃除機本体１に装着された状態では、係合部２５が係合穴１６に挿入されており、係合部２５の上面２５ａと係合穴１６の上部端面１６ａによって、集塵装置１０の装着方向Ｃに対して上方９０度方向への係合が保持される。
【００２８】
さらに、係合穴１６の上部内壁面１６ｂと、それに対向する係合部２５の先端に形成された爪２６の前面２６ａによって、集塵装置１０の装着方向Ｃに対して上方９０度よりも、集塵装置１０の装着が解除される方向に対しての係合が保持されている。
【００２９】
把手部１７の取っ手部２３を引き上げると、係合部２５は下方へ下がり、係合部２５と係合穴１６の係合が直ちに解除され、集塵装置１０を掃除機本体１から抜き取ることができる。
【００３０】
以上のように構成された電気掃除機について、以下、その動作、作用を説明する。
使用者が電気掃除機１００を使用して掃除を開始すると、電源コード（図示せず）から電動送風機９に電源が供給され、電動送風機９で吸引風が発生される。電動送風機９で吸引風が発生されると、被清掃面上の塵埃が吸込具２から空気とともに吸引される。吸込具２から吸引された塵埃を含む空気は、延長管３及びホース４を介して掃除機本体１の内部へと流入し、その後、集塵装置１０で遠心分離され塵埃のみが捕集される。
【００３１】
そして、遠心分離によって実質的に塵埃を含まない空気は、集塵装置１０の開口部ａ２０から排出され、掃除機本体１の吸入口１５から電動送風機９へと吸込まれ、電動送風機９の内部を冷却しつつ、掃除機本体１の外側に排出される。
【００３２】
集塵装置１０は、掃除機本体１に装着された状態では、係合部２５と係合穴１６の嵌合による係合により掃除機本体１との係合状態を維持しているが、集塵装置１０の把手部１７と把手部おさえ１８の間に配置された圧縮バネ２９の付勢力が、把手部１７を収納位置に維持すると同時に、回動軸２７より後方に位置する把手部１７の係合部２５を上方向Ｂへ押し上げ、係合部２５と係合穴１６の係合が解除されにくくしており、外部からの衝撃や振動により集塵装置１０を掃除機本体１から抜き取る方向に力が加わった場合でも、掃除機本体１との係合状態を維持することができる。
【００３３】
掃除を終了すると、使用者は、集塵装置１０の把手部１７の取っ手部２３を引き上げることで、直ちに係合部２５と係合穴１６の係合が解除され、掃除機本体１から塵埃が捕集された集塵装置１０を簡単に抜き取ることができ、ごみ箱などの廃棄位置にて捕集された塵埃を廃棄することができる。
【産業上の利用可能性】
【００３４】
本発明の電気掃除機は、集塵装置を掃除機本体から取り外す場合、使用者は、把手部を
引き上げるだけで、集塵装置と掃除機本体との係合が解除され、集塵装置を掃除機本体から容易に取り外すことができ、かつ、通常使用時は、付勢手段の付勢力によって、外部からの衝撃が加わっても、集塵装置と掃除機本体との係合が容易に解除されないため、家庭用電気掃除機及び産業用電気掃除機の分野・用途に好適に適用することができる。
【符号の説明】
【００３５】
１  掃除機本体
２  吸込具
３  延長管
４  ホース
５  手元ハンドル
６  先端パイプ
７  接続パイプ
８  吸気口
９  電動送風機
１０  集塵装置
１１  下枠体
１２  上枠体
１３  キャスター
１４  車輪
１５  吸入口
１６  係合穴
１７  把手部
１８  把手部おさえ
１９ａ  下側集塵容器
１９ｂ  上側集塵容器
２０  開口部ａ
２１  開口部ｂ
２２  底蓋
２３  取っ手部
２４  回動軸穴
２５  係合部
２６  爪
２７  回動軸
２８  リブ
２９  圧縮バネ
３０  バネ設置部
１００  電気掃除機
【図１】
2017018450.tif 000003
【図２】
2017018450.tif 000004
【図３】
2017018450.tif 000005
【図４】
2017018450.tif 000006
【図５】
2017018450.tif 000007
【図６】
2017018450.tif 000008
【図７】
2017018450.tif 000009
【図８】
2017018450.tif 000010